(57)【特許請求の範囲】
【請求項１】
液透過性のトップシートと、液不透過性のバックシートと、両シート間に介在された液体保持性の吸収体とを具備し、腹側部の左右両側縁部と背側部の左右両側縁部とを接合して左右一対の接合部が形成されており、ウエスト部、胴回り部及びレッグ部に、それぞれ、ウエスト部弾性部材、胴回り部弾性部材及びレッグ部弾性部材が配されており、これらの両端縁部が上記接合部に位置している、パンツ型の使い捨ておむつにおいて、
上記ウエスト部弾性部材、上記胴回り部弾性部材及び上記レッグ部弾性部材は、それぞれ、一対の上記接合部においては、非伸張状態となされていることを特徴とするパンツ型の使い捨ておむつ。
【発明の詳細な説明】
【０００１】
【発明の属する技術分野】
本発明は、風合いに優れ、装着感に優れたパンツ型の使い捨ておむつに関する。
【０００２】
【従来の技術及び発明が解決しようとする課題】
従来より、液透過性のトップシートと、液不透過性のバックシートと、両シート間に介在された液体保持性の吸収体とを具備し、腹側部の左右両側縁部と背側部の左右両側縁部とを接合して左右一対の接合部が形成されており、ウエスト部、胴回り部及びレッグ部に、それぞれ、ウエスト部弾性部材、胴回り部弾性部材及びレッグ部弾性部材が、これらの端縁部を上記接合部に位置させるように配されている、パンツ型の使い捨ておむつは、広く用いられている。
そして、上記接合部は、通常、腹側部の左右両側縁部と背側部の左右両側縁部とをヒートシールするなどして接合されていた。
しかし、このような従来のパンツ型の使い捨ておむつにおいては、上記接合部が硬くなり、風合い及び使用感が悪いという問題、具体的には、使用時において、着用者が該接合部が当たった際に痛く感じる等の問題があった。
【０００３】
従って、本発明の目的は、風合いに優れ、使用時の装着感が良好なパンツ型の使い捨ておむつを提供することにある。
【０００４】
【課題を解決するための手段】
本発明者らは、上記課題を解決するために鋭意検討した結果、接合部に位置する弾性部材が非伸張状態となるように、該接合部において該弾性部材を固着しないパンツ型の使い捨ておむつが、上記目的を達成しうることを知見した。
【０００５】
本発明は、上記知見に基づいてなされたもので、液透過性のトップシートと、液不透過性のバックシートと、両シート間に介在された液体保持性の吸収体とを具備し、腹側部の左右両側縁部と背側部の左右両側縁部とを接合して左右一対の接合部が形成されており、ウエスト部、胴回り部及びレッグ部に、それぞれ、ウエスト部弾性部材、胴回り部弾性部材及びレッグ部弾性部材が配されており、これらの両端縁部が上記接合部に位置している、パンツ型の使い捨ておむつにおいて、上記ウエスト部弾性部材、上記胴回り部弾性部材及び上記レッグ部弾性部材は、それぞれ、一対の上記接合部においては、非伸張状態となされていることを特徴とするパンツ型の使い捨ておむつを提供するものである。
【０００６】
【発明の実施の態様】
以下、図面を参照して本発明を更に詳細に説明する。
ここで、図１は、本発明のパンツ型の使い捨ておむつの１形態を示す斜視図であり、図２は、図１に示すパンツ型の使い捨ておむつの接合部を模式的に示す拡大図である。
また、図３は、図１に示すパンツ型の使い捨ておむつの製造方法の要部を示す概略図である。
【０００７】
図１に示すパンツ型の使い捨ておむつ１は、液透過性のトップシート２と、液不透過性のバックシート３と、両シート２、３間に介在された液体保持性の吸収体４（図４参照）とを具備し、腹側部Ａの左右両側縁部と背側部Ｂの左右両側縁部とを接合して左右一対の接合部８が形成されてなり、ウエスト部５、胴回り部６、及びレッグ部７に、それぞれ、ウエスト部弾性部材５１、胴回り部弾性部材６１、及びレッグ部弾性部材７１が配されており、これらの両端縁部５１ａ、６１ａ、７１ａが上記接合部８に位置している。
【０００８】
また、上記使い捨ておむつ１には、上記接合部が形成されていることにより、ウエスト開口部９ａと、左右一対のレッグ開口部９ｂとが形成されている。
【０００９】
上記ウエスト部弾性部材５１は、ウエスト部５においてウエスト開口部９ａに沿うように４本設けられており、上記胴回り部弾性部材６１は、着用時に着用者の胴回りに位置する胴回り部６に７本設けられている。また、上記レッグ部弾性部材７１は、腹側部Ａ側と背側部Ｂ側とにそれぞれ３本づつ配されている。
また、上記ウエスト部弾性部材５１、上記レッグ部弾性部材７１及び上記胴回り弾性部材６１は、それぞれ、上記トップシート２及び上記バックシート３間に配されている。
このような構成は、従来公知のパンツ型の使い捨ておむつと同様である。
【００１０】
また、本形態において用いられる各部材、即ち、上記トップシート２、上記バックシート３、上記吸収体４、上記ウエスト部弾性部材５１、上記レッグ部弾性部材７１及び上記胴回り弾性部材６１については、いずれも、従来これらの形成材料として用いられるものを特に制限なく用いて形成することができる。
【００１１】
而して、本形態の使い捨ておむつ１は、図１及び２に示すように、上記ウエスト部弾性部材５１、上記胴回り部弾性部材６１及び上記レッグ部弾性部材７１は、それぞれ、一対の上記接合部８においては、非伸張状態となされている。
【００１２】
更に詳述すると、図２に示すように、上記接合部８は、該接合部８の長手方向と水平方向に向けて設けられた、複数のシール部８１により接合されて形成されている。該シール部８１は、それぞれ、平行に且つ所定パターンをもって、不連続に設けられている。
【００１３】
そして、本形態においては、上記接合部８においては、トップシート２とバックシート３との間に接着剤が塗布されておらず、これにより、該接合部８において、各弾性部材５１，６１，７１が、該トップシート及び該バックシートのいずれにも固着されずに、非伸張状態となされている。尚、非伸張状態とするには、上記トップシート及び上記バックシートにおける上記接合部を形成する部分に剥離剤を塗布する等して剥離処理すること等により行うこともできる。
ここで、上記「非伸張状態」とは、各弾性部材が伸張されておらず伸張率が０％に近い状態、具体的には０〜２０％の状態をいう。
尚、上記「伸張率」は、自然長に対する、伸張されて増加した分の長さの割合であり、例えば、長さ１０cmのものを２０cmに伸張すると、その伸張率は１００％である。
【００１４】
本形態のパンツ型の使い捨ておむつは、通常公知のパンツ型の使い捨ておむつと同様にして使用することができる。そして、従来の使い捨ておむつであれば接合部における弾性部材の収縮により、該接合部がゴワついてしまい、著しい風合いの低下を招くが、本形態の使い捨ておむつでは、接合部８以外の箇所は各弾性部材５１，６１、７１が、それぞれ伸張状態でトップシートとバックシートとに接着剤を介して挟持固定されているが、接合部８では各弾性部材５１，６１，７１が非伸張状態となされているため、該接合部８においては、該収縮による弊害がなく、このような風合いの低下を招くことがない。従って、本形態の使い捨ておむつは、風合いに優れ、装着感に優れたものである。
【００１５】
本形態の使い捨ておむつは、好ましくは、下記の如くして製造することができる。
即ち、図３に示すようにウエスト部弾性部材５１、胴回り部弾性部材６１、レッグ部弾性部材７１及び吸収体４が、それぞれ、トップシート２とバックシート３との間に挟持されるように、トップシートの連続体２’及びバックシートの連続体３’間にウエスト部弾性部材の連続体５１’、胴回り部弾性部材の連続体６１’、レッグ部弾性部材の連続体７１’及び吸収体４を配する部材配置工程Ｏと、レッグ開口部形成用の開口を形成する開口形成工程Ｐと、各部材が重ね合わされ且つ開口が形成された連続体をその幅方向に２つ折りにして、所定箇所を所定のパターンで複数の上記シール部が形成されるようにヒートシールして接合部を形成する接合部形成工程Ｑと、該接合部で個々のおむつに切断する切断工程Ｒとを、行うことにより、製造することができる。
【００１６】
また、本形態においては、上記部材配置工程Ｏと上記開口形成工程Ｐとの間にバックシートの連続体３’の左右両側縁部３ａ’を折り返してトップシートの連続体２’上に重ね合わせる折り返し工程Ｓを行うことができる。
また、上記接合部形成工程Ｒ、開口形成工程Ｐ、折り込み工程Ｑ及び折り返し工程Ｓは、それぞれ、常法に準じて行うことができる。尚、上記所定箇所とは、おむつの左右両側縁部に当たる箇所、即ち、２つ折りにした連続体における最も幅狭の部分である。また、所定のパターンとは、例えば、図２に示す各シール部の配置パターンである。
【００１７】
そして、本形態においては、上記部材配置工程Ｏを、上記のトップシートの連続体２’、上記のバックシートの連続体３’、上記ウエスト部弾性部材の連続体５１’、上記胴回り部弾性部材の連続体６１’及び上記レッグ部弾性部材の連続体７１’において、おむつにおいて上記接合部を形成する部位に接着剤が塗工されないように、各部材に間欠的に接着剤を塗布し、各部材を配置することにより行う。この際、間欠的に接着剤を塗布する方法としては、公知の方法を特に制限なく用いることができる。  また、剥離処理により各弾性部材を非伸張状態とする場合には、上記の間欠的な接着剤の塗布は行わずに、例えば、上記トップシートの連続体２’及び上記バックシートの連続体３’における上記の接合部を形成する部位に剥離剤を塗布することにより、上記部材配置工程Ｏを行うことができる。
次いで、上記折り返し工程Ｓ及び上記開口形成工程Ｐを行った後、上記接合部形成工程Ｑを行い、接合部を形成する。
更に、この後、上記切断工程Ｒにおいて、伸張状態の弾性部材を接着されていない箇所（個々の使い捨ておむつにおいて接合部を形成する部分）において切断するため、各弾性部材の連続体が接着されていない接合部において、各弾性部材５１，６１，７１は収縮して非伸張状態となって、接合部が形成されて、個々の使い捨ておむつが得られる。
【００１８】
尚、本発明の使い捨ておむつは、上述の形態に制限されるものではなく、本発明の趣旨を逸脱しない範囲で種々変更可能である。
例えば、上記ウエスト部弾性部材５１、上記胴回り部弾性部材６１及び上記レッグ部弾性部材７１は、それぞれ、トップシート２とバックシート３とにより挟持されていなくても良く、例えば、少なくとも２層の積層体よりなるバックシートの層間に挟持・固定されていても良い。また、トップシートは接合部までなくても良い。
【００１９】
【発明の効果】
本発明のパンツ型の使い捨ておむつは、風合いに優れ、使用時の装着感が良好なものである。
【図面の簡単な説明】
【図１】図１は、本発明のパンツ型の使い捨ておむつの１形態を示す斜視図である。
【図２】図２は、図１に示すパンツ型の使い捨ておむつの接合部を模式的に示す拡大図である。
【図３】図３は、図１に示すパンツ型の使い捨ておむつの製造方法の要部を示す概略図である。
【符号の説明】
１  使い捨ておむつ
２  トップシート
３  バックシート
４  吸収体
５  ウエスト部
６  胴回り部
７  レッグ部
８  接合部
５１  ウエスト部弾性部材
６１  胴回り部弾性部材
７１  レッグ部弾性部材
８１  シート部
Ａ  腹側部
Ｂ  背側部
【図１】
0003907289.tif 000002
【図２】
0003907289.tif 000003
【図３】
0003907289.tif 000004